(57)【要約】【課題】身と蓋を有する容器の封緘と、素手による開封が容易にできる身と蓋を有する容器の封緘用テープを提供する。【課題手段】所要長さのテープ状の基材の一面に粘着剤層を設け、この基材の長手方向の中央部の粘着剤層を合掌貼り状態に貼り合わせて摘み部３を形成する。この摘み部３から両側に延びる露出した粘着剤層を有する基材側部１１、１２に摘み部３から適宜の間隔をおいて容易に切り離しができる易切断部１３、１４を基材の幅方向に設ける。  基材側部の一側１１を蓋８に貼り付け、他側１２を身７に貼って蓋を身に被せた状態に封緘する。摘み部３を指で摘まんで基材の幅方向に引張ると、易切断部１３、１４が切り離され素手で開封できる。一旦開封すると易切断部が切れて再封緘できないので、悪意の開封を防止できる。【選択図】図４
0003150109.tif 000002
【実用新案登録請求の範囲】
【請求項１】
テープ状の基材の一面に粘着剤層を形成し、該基材の長手方向の中央部の粘着剤層を合掌貼り状態に貼り合わせて摘み部を形成し、該摘み部から両側に延びる露出粘着剤層を有する基材側部の少なくとも一側に摘み部から適宜の間隔をおいて基材の幅方向に容易に切り離しができる易切断部を設けた身と蓋を有する容器の封緘用テープ。
【請求項２】
上記易切断部が上記基材側部の両側に設けてある請求項１に記載の身と蓋を有する容器の封緘用テープ。
【請求項３】
上記易切断部がミシン線その他の不連続切線である請求項１または２に記載の身と蓋を有する容器の封緘用テープ。
【請求項４】
上記易切断部が多数の微細な貫通孔を帯状に形成したものである請求項１または２に記載の身と蓋を有する容器の封緘用テープ。
【請求項５】
上記易切断部が基材の表面に多数の微細な傷加工を帯状に形成したものである請求項１または２に記載の身と蓋を有する容器の封緘用テープ。
【考案の詳細な説明】
【技術分野】
【０００１】
本考案は、身と蓋を有する容器において、蓋を身に被せた状態で確実に封緘し、蓋を身から外す際には容易に開封することができる身と蓋を有する容器の封緘用テープに関する。
【背景技術】
【０００２】
従来、容器の身に被せた蓋を固定するために、セロハンテープなどの粘着テープを身と蓋に跨るように適宜箇所に貼付することが一般に行われているが、粘着テープの端部までしっかりと貼付されていることから、カッターやハサミなどを使って切断すれば容易に開封できるが、素手で剥がすことは難しく、常時カッターやハサミを手許に置いておくことも少ないから、素手でも簡単に開封できるものが望まれている。
【０００３】
こうしたことから、本体に蓋を嵌め合わせ、本体と蓋の両方にかかるように粘着テープを容器の周りにぐるりと貼り付け、本体に設けた凹部と粘着テープの間にできる隙間に指を差し入れるようにして粘着テープを捲り取って行くようにしたものが提案されているが、容器の本体に凹部を設ける必要があり、どんな容器にでも適用できるものではない。（特許文献１）
【先行技術文献】
【特許文献】
【０００４】
【特許文献１】特開平８−３０１３３５
【考案の概要】
【考案が解決しようとする課題】
【０００５】
本考案は、身と蓋を有する容器において、蓋を身に被せた状態で確実に封緘することができ、蓋を開く際には素手で封緘状態を容易に解いて開封することができるような身と蓋を有する容器の封緘用テープを提供しようとするものである。
【課題を解決するための手段】
【０００６】
本考案は、所要長さのテープ状の基材の一面に粘着剤層を設け、この基材の長手方向の中央部の粘着剤層を合掌貼り状態に貼り合わせて摘み部を形成し、この摘み部から両側に延びる露出した粘着剤層を有する基材側部に摘み部から適宜の間隔をおいて容易に切り離しができる易切断部を基材の幅方向に設けることによって身と蓋を有する容器の封緘用テープとするものである。
【考案の効果】
【０００７】
本考案によれば、身と蓋に跨る部分に摘み部が位置するようにして、基材側部の一側の粘着剤層を身の方に貼り付け、他側を蓋の方に貼り付けるようにし、容器の形態により数箇所に同様にして貼り付けると、蓋を身に被せた状態に封緘することができる。これを開封する場合、摘み部を指で摘まんで基材の幅方向に引張ると、基材側部に設けた易切断部が切り離されるので、順次同様にして切り離せば、特に用具を必要とすることなく素手で、身から蓋を外して開くことができる。
また、悪意を持って開封した場合にも、封緘用テープの易切断部が切れてしまって再封緘することができないから、悪戯などを防止して容器に収納されている中身を安全に保つことができる。
【図面の簡単な説明】
【０００８】
【図１】本考案の実施例を示す封緘用テープの斜視図である。
【図２】図１の断面図である。
【図３】図１に示すものの使用状態を示す断面図である。
【図４】図３に示すものの身側から見た使用状態を示す斜視図である。
【図５】本考案の他の実施例を示す封緘用テープの一部省略平面図である。
【考案を実施するための形態】
【０００９】
セロファン、プラスチックフイルム、布、不織布その他の適宜材料で形成した一定の長さのテープ状の基材１の一面に、天然ゴム系、合成ゴム系、アクリル系、ウレタン系、シリコン系、ビニルエーテル系などの粘着剤を塗布して粘着剤層２を設ける。上記基材１の長さは、封緘しようとする容器の大きさ、形状に応じて適度の長さにするとよい。
上記基材１は、その長手方向の中央部において、粘着剤層２同士を貼り合わせて合掌貼り状態にすると摘み部３を形成することができ、この摘み部３の両側にある基材側部１１、１２においては粘着剤層２が露出された状態で残されている。
【００１０】
上記基材側部１１、１２には、各々上記摘み部３から適宜の間隔をおいて離れた位置に、上記基材の幅方向に切離すことが容易にできるような易切断部を設けている。この易切断部は、少なくとも基材側部１１、１２のいずれか一方に設けるようにするが、図示するものでは、基材側部１１、１２の双方に易切断部１３、１４を設けている。
この易切断部１３、１４は、図示するようにミシン線その他の不連続切線に形成したり、多数の微細な貫通孔を帯状に設けたり（図５）、同様に微細な傷加工を帯状に設けたりすることによって形成することができる。
【００１１】
こうして形成した封緘用テープ５を使用する場合、容器６の身７に適宜の中身（図示略）を詰めて蓋８を被せてから、一方の基材側部１１を蓋８側に貼り付け、軽く引張りながら他方の基材側部１２を身７側に貼り付けると、摘み部３が容器６の身７と蓋８との間に介在するようになる。こうした封緘用テープ５を必要により同様にして、適宜の箇所に貼り付けると蓋８は身７にしっかりと固定され、容器を封緘状態に保つことができる。
図示するものは、米飯などを入れる容器として多用されているものであって、四角形の４辺の夫々に封緘用テープ５を貼り付けている。また、この身と蓋を有する容器としては、身と蓋が一側部で繋がった片開きの容器であっても同様に使用することができる。
【００１２】
こうして封緘用テープ５で固定された蓋８を開ける場合、上記摘み部３を指で摘まんでテープの幅方向に引張ると、その引張り作用が基材側部１１、１２に設けた易切断部１３、１４に集中的に及んで、これを容易に切離すことができるので（図４）、同様にして摘み部３を摘まんで次々に封緘用テープ５の易切断部を切り離せば、容器６の身７に対する蓋８の封緘が解けて、蓋８を取外し容器の身７の中に納められている中身を取出すことができるようになる。
【産業上の利用可能性】
【００１３】
本考案によれば、身と蓋を有する容器において、蓋を身に被せた状態で確実に封緘し、蓋を身から外す際には素手で容易に開封することができて便利である。また、悪意の開封を防止して、容器中の中身を安全に保持することができる。  
【符号の説明】
【００１４】
１    基材
２    粘着剤層
３    摘み部  
５    封緘用テープ
６    容器
７    身
８    蓋
１１，１２  基材側部
１３，１４  易切断部
【図１】
0003150109.tif 000003
【図２】
0003150109.tif 000004
【図３】
0003150109.tif 000005
【図４】
0003150109.tif 000006
【図５】
0003150109.tif 000007